(57)【要約】【課題】健康を促進させることができる足覆いを提供する。【解決手段】足のツボ等を刺激することができる靴下、半靴下、５本指タイプの靴下及び半靴下、足袋、外反母趾矯正靴下、ストッキング等の足覆いであって、  足（Ｆ）を覆う足覆い本体（１０）と、  足覆い本体（１０）の少なくとも内周面（１０ａ）には、内方向に向かって突出するように設けられている足刺激用の複数の内突起（１０ａ１）と、を有してなる。そして、この内突起（１０ａ１）は、足刺激用に加え、滑り止め用も兼用することができる。【選択図】図２
0003235166.tif 000002
【実用新案登録請求の範囲】
【請求項１】
足を覆う足覆い本体と、
前記足覆い本体の少なくとも内周面には、内方向に向かって突出するように設けられている足刺激用の複数の内突起と、を有してなる足覆い。
【請求項２】
前記内突起は、前記足刺激用に加え、滑り止め用も兼用することができる請求項１に記載の足覆い。
【考案の詳細な説明】
【技術分野】
【０００１】
本考案は、足のツボ等を刺激することができる靴下、半靴下、５本指タイプの靴下及び半靴下、足袋、外反母趾矯正靴下、ストッキング等の足覆いに関する。
【背景技術】
【０００２】
一般に、靴下、半靴下、５本指タイプの靴下及び半靴下、足袋、外反母趾矯正靴下、ストッキング等の足覆いとして、例えば、特許文献１に示すものが知られている。この特許文献１に記載の足覆いは、口ゴム組織を足首部周辺から始まる長く緩やかなものにし、該足覆いの形状を上端周辺の開いたテーパー状にして締め付けないようにしているものである。
【先行技術文献】
【特許文献】
【０００３】
【特許文献１】実用新案登録第３０９０９６０号公報
【考案の概要】
【考案が解決しようとする課題】
【０００４】
しかしながら、上記のような足覆いは、履き心地を良くするとともに滑り落ちないように考慮されているものの、健康を促進させるための健康促進機能については何ら考慮されていないという問題があった。
【０００５】
そこで、本考案は、上記問題に鑑み、健康を促進させることができる足覆いを提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１の足覆いによれば、足（Ｆ）を覆う足覆い本体（１０，１０Ａ，１０Ｂ）と、
前記足覆い本体（１０，１０Ａ，１０Ｂ）の少なくとも内周面（１０ａ，１０Ａａ，１０Ｂａ）には、内方向に向かって突出するように設けられている足刺激用の複数の内突起（１０ａ１，１０Ａａ１，１０Ｂａ１）と、を有してなることを特徴としている。
【０００８】
請求項２の考案によれば、上記請求項１に記載の足覆い（１，１Ａ，１Ｂ）において、前記内突起（１０ａ１，１０Ａａ１，１０Ｂａ１）は、前記足刺激用に加え、滑り止め用も兼用することができることを特徴としている。
【考案の効果】
【０００９】
次に、本考案の効果について、図面の参照符号を付して説明する。なお、括弧内は、後述する実施形態の参照符号を付したものであるが、本考案はこれに限定されるものではない。
【００１０】
請求項１の考案によれば、足覆い本体（１０，１０Ａ，１０Ｂ）の少なくとも内周面（１０ａ，１０Ａａ，１０Ｂａ）には、内方向に向かって突出するように足刺激用の複数の内突起（１０ａ１，１０Ａａ１，１０Ｂａ１）が設けられているから、使用者は、足覆い（１，１Ａ，１Ｂ）を履くだけで、内突起（１０ａ１，１０Ａａ１，１０Ｂａ１）によって、使用者の足（Ｆ）のツボ等が刺激されることとなる。これにより、健康を促進させることができる。
【００１１】
請求項２の考案によれば、内突起（１０ａ１，１０Ａａ１，１０Ｂａ１）は、足刺激用に加え、滑り止め用も兼用することができるから、足覆い（１，１Ａ，１Ｂ）と使用者の足（Ｆ）との滑りを防止することもできる。
【図面の簡単な説明】
【００１２】
【図１】本考案の一実施形態に係る足覆いの一例を示す靴下の内周面側を示す平面図である。
【図２】同実施形態に係る足覆いの一例を示す靴下の縦断面図である。
【図３】他の実施形態に係る足覆いの一例を示す靴下の内周面側の一部を示す平面図である。
【図４】他の実施形態に係る足覆いの一例を示す靴下の内周面側の一部を示す平面図である。
【考案を実施するための形態】
【００１３】
以下、本考案の一実施形態を、図面を参照して具体的に説明する。なお、以下の説明において、上下左右の方向を示す場合は、図示正面から見た場合の上下左右をいうものとする。
【００１４】
図１に示す足覆い１は、靴下を例示したもので、足覆い本体１０と、履き口部１１と、で構成されている。足覆い本体１０は、図２に示すように使用者の足Ｆのつま先部分Ｆ１から足首部分Ｆ２までを覆うものであり、その内周面１０ａには、靴下編み機により天然糸又は合成糸を使用して編成されることによって、内方向に突出する複数の内突起１０ａ１が設けられている。この複数の内突起１０ａ１は、使用者の足Ｆのツボ等を刺激することができるもので、図２に示すように断面視凹凸形状になるように、内周面１０ａ全面に亘って所要間隔を置いて、図１に示すように、縞模様状になるように設けられている。これにより、使用者は、足覆い１を履くだけで、内突起１０ａ１によって、使用者の足Ｆのツボ等が刺激されることとなり、もって、健康を促進させることができる。
【００１５】
また、この内突起１０ａ１は、使用者の足Ｆのツボ等を刺激する以外にも、滑り止め用としての機能を備えることができる。これにより、足覆い１と使用者の足Ｆとの滑りを防止することもできる。
【００１６】
一方、図１及び図２に示すように、足覆い本体１０の外周面１０ｂには、靴下編み機により天然糸又は合成糸を使用して編成されることによって、外方向に突出する複数の外突起１０ｂ１が設けられている。この複数の外突起１０ｂ１は、滑り止め用としての機能を担うもので、図２に示すように断面視凹凸形状になるように、外周面１０ｂ全面に亘って所要間隔を置いて設けられている。これにより、靴と足覆い１との滑りを防止することができる。
【００１７】
履き口部１１は、靴下編み機により編み目を小さくするなどして、生地自体その部分を細く編み立てるか、あるいは、ゴムを入れたりして、比較的弱い伸縮性をもたせるように形成されているものである。
【００１８】
しかして、以上説明した本実施形態によれば、足覆い本体１０の内周面１０ａには、内方向に向かって突出する足刺激用の複数の内突起１０ａ１が設けられているから、使用者は、足覆い１を履くだけで、内突起１０ａ１によって、使用者の足Ｆのツボ等が刺激されることとなる。これにより、健康を促進させることができる。
【００１９】
なお、本実施形態において示した形状等はあくまで一例であり、実用新案登録請求の範囲内において、種々の変形・変更が可能である。例えば、本実施形態においては、複数の内突起１０ａ１を設けるにあたって、縞模様状に設ける例を示したが、それに限らず、図３に示す足覆い１Ａに示すように、足覆い本体１０Ａの内周面１０Ａａに、市松模様状に、複数の内突起１０Ａａ１を設けても良く、図４に示す足覆い１Ｂに示すように、足覆い本体１０Ｂの内周面１０Ｂａに、市松模様状に、複数の内突起１０Ｂａ１を設けても良い。すなわち、どのように設けても良い。
【００２０】
また、本実施形態においては、複数の内突起１０ａ１を足覆い本体１０の内周面１０ａ全面に亘って設ける例を示したが、勿論、使用者の足裏部分のみ等、一部だけ設けるようにしても良い。
【００２１】
また、本実施形態においては、足覆い本体１０の外周面１０ｂに複数の外突起１０ｂ１を設けるようにしたが、それに限らず、不要であれば特に設ける必要はない。
【００２２】
また、本実施形態においては、靴下を例示して説明したが、それに限らず、５本指タイプの靴下及び半靴下、足袋、外反母趾矯正靴下、ストッキング等にも適用可能である。
【符号の説明】
【００２３】
１，１Ａ，１Ｂ                      足覆い
１０，１０Ａ，１０Ｂ                足覆い本体
１０ａ，１０Ａａ，１０Ｂａ          内周面
１０ａ１，１０Ａａ１，１０Ｂａ１    内突起
Ｆ                                  足
【図１】
0003235166.tif 000003
【図２】
0003235166.tif 000004
【図３】
0003235166.tif 000005
【図４】
0003235166.tif 000006